(57)【要約】【課題】確実に路面を掴んで把握することが可能なグリップ性に優れた靴底を提供する。【解決手段】靴底１０は、靴の接地面側に配置される外底１４と、外底１４の一方主面に配置される中底と、外底１４の他方主面の所定部位に配置され、溝部２０により環状に区画されるグリップ部１８と、グリップ部１８の内側に配置され、外底１４の他方主面から靴の接地面側に突出する突起片２４と、グリップ部１８と中底との間に配置される弾性体とを含み、接地面側からグリップ部１８に力が作用したとき、突起片２４が接地面側から押圧されることにより、グリップ部１８の他の突起片２６〜３２および突起片３４〜４０は、突起片２４を中心に内側に弾性変形すると伴に、接地面を把握する方向に変位する。【選択図】      図１
2004337370.tif 000002
【特許請求の範囲】
【請求項１】
靴の接地面側に配置される外底、
前記外底の一方主面に配置される中底、
前記外底の他方主面の所定部位に配置され、環状に区画されるグリップ部、
前記グリップ部の内側に配置され、前記外底の他方主面から前記接地面側に突出する突起片、および
前記グリップ部と前記中底との間に配置される弾性体を含み、
前記接地面側から前記グリップ部に力が作用したとき、前記突起片が前記接地面側から押圧されることにより、前記グリップ部は、前記突起片を中心に内側に弾性変形すると伴に、前記突起片の周辺部が前記接地面を把握する方向に変位することを特徴とする、靴底。
【請求項２】
前記グリップ部は、前記グリップ部の略中央に配置される突起片を含むことを特徴とする、請求項１に記載の靴底。
【請求項３】
前記グリップ部は、前記グリップ部の内側に間隔を隔てて対向して配置される複数の突起片を含むことを特徴とする、請求項１または請求項２に記載の靴底。
【請求項４】
前記グリップ部は、前記グリップ部の内側で周方向に間隔を隔てて配置される複数の突起片を含むことを特徴とする、請求項１または請求項３に記載の靴底。
【請求項５】
前記グリップ部は、前記グリップ部の略中央に配置される突起片、および、前記突起片と間隔を隔てて、前記突起片を囲むように配置される他の突起片を含むことを特徴とする、請求項１に記載の靴底。
【請求項６】
前記突起片は、前記他の突起片よりも、前記接地面側へ突出するように配置されることを特徴とする、請求項５に記載の靴底。
【発明の詳細な説明】
【０００１】
【発明の属する技術分野】
本願発明は、靴底に関し、特に、たとえばゴルフシューズに用いられて好適な靴底に関する。
【０００２】
【従来の技術】
従来の技術には、歩行、走行、方向転換、跳躍、側方移動等の足の様々な挙動について、足圧分布履歴計測法で得られた接触線・剥離線データを元に決定された屈曲線図によって、靴底に曲線状の屈曲溝を形成したものがあった（例えば、特許文献１参照。）。屈曲溝の断面形状は、たとえば「コ」の字型、Ｕ字型、Ｖ字型等に形成される。
特許文献１では、踵からつま先までの領域に配したバイオメカニクス的分析結果により得られた屈曲線図に基づく曲線状の屈曲溝により、靴底の広い範囲を路面と接触させて路面把握性（グリップ性）を確保している。
【０００３】
また、従来の技術には、足圧分布履歴計測法で得られた足圧分布データおよび荷重ベクトルデータを元に決定された必須摩擦係数分布図によって、種々の運動形態における靴底に作用する力の方向および作用領域を防滑領域として求め、得られた防滑領域に応じて、靴底に防滑意匠を配置したものがあった（例えば、特許文献２参照。）。防滑意匠は、溝形状、ブロック形状、ドット形状等の防滑構造を有する。
特許文献２では、有効に防滑性を発揮させるために、最大摩擦方向の向き、せん断方向の向き、足圧が大きく作用する領域に応じて、防滑意匠が設けられる。
【０００４】
【特許文献１】
特開平９−７５１０６号公報（第２頁、第４頁、図１０、図１１）
【特許文献２】
特開平９−２０１２０８号公報（第２−３頁、図３）
【０００５】
【発明が解決しようとする課題】
しかしながら、特許文献１に記載された技術では、曲線状の屈曲溝と路面とを接触させることによってのみ、グリップ性を確保しているだけなので、路面がたとえば雨で濡れて滑り易い場合には、路面でのグリップ性を確保することが困難であった。そのため、特許文献１の靴底は、芝生のある路面上で、雨天でも行なわれ得るゴルフ，テニス，サッカー，ラグビー等のスポーツに用いられるスポーツシューズには不適なものであった。
【０００６】
また、特許文献２に記載された技術では、溝形状、ブロック形状、ドット形状等の防滑構造を有する防滑意匠を如何に有効に、最大摩擦方向の向き、せん断方向の向き、足圧が大きく作用する防滑領域に配置するかがポイントとなっており、防滑意匠自体は、先の特許文献１と同様に、防滑意匠と路面との接触による摩擦力で路面のグリップ性を確保しているに過ぎない。したがって、特許文献２の靴底も、芝生のある路面上で、雨天でも行なわれ得るゴルフ，テニス，サッカー，ラグビー等のスポーツに用いられるスポーツシューズには不適なものであった。
【０００７】
さらに、特許文献１では、例えば歩行時、走行時、方向転換時、跳躍時、側方移動時など様々な運動状態における足圧分布データを足圧分布履歴計測装置により測定し、足圧分布データから接触線・剥離線データを決定し、さらに、接触線・剥離線データから屈曲線データを決定し、さらに、この屈曲線データおよび足部解剖データベースに基いて、屈曲溝の意匠が決定され、特許文献２でも、各運動形態において、足圧分布履歴計測装置により測定された足圧分布データおよび荷重ベクトルデータから必須摩擦係数分布データが決定され、さらに、必須摩擦係数分布データおよび足部解剖データベースに基いて防滑領域が決定され、この防滑領域に防滑意匠が決定されるといった具合に、それぞれ、複雑なプロセスを必要とし、非常に手間のかかるものであった。
【０００８】
それゆえに、本願発明の主たる目的は、路面を掴んで把握することが可能なグリップ性に優れた靴底を提供することである。
【０００９】
【課題を解決するための手段】
請求項１にかかる本願発明は、靴の接地面側に配置される外底と、外底の一方主面に配置される中底と、外底の他方主面の所定部位に配置され、環状に区画されるグリップ部と、グリップ部の内側に配置され、外底の他方主面から靴の接地面側に突出する突起片と、グリップ部と中底との間に配置される弾性体とを含み、接地面側からグリップ部に力が作用したとき、突起片が接地面側から押圧されることにより、グリップ部は、突起片を中心に内側に弾性変形すると伴に、突起片の周辺部が接地面を把握する方向に変位することを特徴とする、靴底である。
請求項２にかかる本願発明は、請求項１にかかる発明に従属する発明であって、グリップ部は、グリップ部の略中央に配置される突起片を含むことを特徴とする、靴底である。
請求項３にかかる本願発明は、請求項１または請求項２にかかる発明に従属する発明であって、グリップ部は、グリップ部の内側に間隔を隔てて対向して配置される複数の突起片を含むことを特徴とする、靴底である。
請求項４にかかる本願発明は、請求項１または請求項３にかかる発明に従属する発明であって、グリップ部は、グリップ部の内側で周方向に間隔を隔てて配置される複数の突起片を含むことを特徴とする、靴底である。
請求項５にかかる本願発明は、請求項１にかかる発明に従属する発明であって、グリップ部は、グリップ部の略中央に配置される突起片と、突起片と間隔を隔てて突起片を囲むように配置される他の突起片とを含むことを特徴とする、靴底である。
請求項６にかかる本願発明は、請求項５にかかる発明に従属する発明であって、突起片は、他の突起片よりも、接地面側へ突出するように配置されることを特徴とする、靴底である。
【００１０】
【作用】
請求項１にかかる本願発明では、外底の他方主面の所定部位に、環状に区画されるグリップ部が配置される。グリップ部の内側には、外底の他方主面から靴の接地面側に突出する突起片が配置される。グリップ部と中底との間には、弾性体が配置される。接地面側からグリップ部に力が作用すると、突起片が接地面側から押圧される。この場合、グリップ部は、弾性体の弾性力によって、突起片を中心にして、内側に弾性変形する。さらに、それと同時に、グリップ部の突起片の周辺部は、接地面を把握する方向に変位する。そのため、グリップ部は、突起片の周辺が接地面を握り込むように把握する。この場合、グリップ部は、接地面側において、あらゆる方向からの圧力に対しても対応し、全方位から芝を噛んで把握する。したがって、接地面へのグリップ性が向上する。
請求項２にかかる本願発明では、突起片がグリップ部の略中央に配置されるため、接地面側からグリップ部に力が作用すると、グリップ部の略中央が押圧される。したがって、グリップ部がその内側に安定して有効に弾性変形し、それと伴に、突起片の周辺部が均一にバランスよく接地面を把握する方向に変位する。この場合、グリップ部は、接地面側において、あらゆる方向からの圧力に対しても対応し、全方位から芝を噛んで把握する。したがって、接地面へのグリップ性が一層向上する。
請求項３にかかる本願発明では、複数の突起片がグリップ部の内側に間隔を隔てて対向して配置されるため、接地面側からグリップ部に力が作用した場合、複数の突起片は、その先端側どうしが互いに近づく方向に変位する。この場合、グリップ部は、接地面側において、あらゆる方向からの圧力に対しても対応し、全方位から芝を噛んで把握する。そのため、対向する複数の突起片間に、たとえばグラウンドの芝や小さなアンジュレーションを挟持するように把握することが可能となる。
請求項４にかかる本願発明では、複数の突起片がグリップ部の内側で周方向に間隔を隔てて配置されるため、接地面側からグリップ部に力が作用した場合、複数の突起片は、その先端側がグリップ部の中心側に傾倒し、グリップ部の中心部握り込むように変位する。この場合、グリップ部は、接地面側において、あらゆる方向からの圧力に対しても対応し、全方位から芝を噛んで把握する。そのため、複数の突起片の内側に、たとえばグラウンドの芝や小さなアンジュレーションを把握することが可能となる。
請求項５にかかる本願発明では、接地面側からグリップ部に力が作用した場合、グリップ部の略中央に配置される突起片側に、突起片を囲むように配置される他の突起片の先端側が傾倒し、グリップ部の中心部を握り込むように変位する。この場合、グリップ部は、接地面側において、あらゆる方向からの圧力に対しても対応し、全方位から芝を噛んで把握する。そのため、突起片と他の突起片との間に、たとえばグラウンドの芝や小さなアンジュレーションを把握することが可能となる。
請求項６にかかる本願発明では、グリップ部の略中央に配置される突起片が、突起片を囲むように配置される他の突起片よりも接地面側へ突出するように配置される。そのため、グリップ部は、その略中央に配置された突起片を中心にして、内側に安定して有効に弾性変形し、それと伴に、他の突起片がバランスよく接地面を把握する方向に変位する。この場合、グリップ部は、接地面側において、あらゆる方向からの圧力に対しても対応し、全方位から芝を噛んで把握する。したがって、接地面側からグリップ部に力が作用した場合、突起片と他の突起片との間に、たとえばグラウンドの芝や小さなアンジュレーションをより一層効果的に把握することが可能となる。
【００１１】
本願発明の上述の目的，その他の目的，特徴および利点は、図面を参照して行う以下の発明の実施の形態の詳細な説明から一層明らかとなろう。
【００１２】
【発明の実施の形態】
【実施例】
図１は、本願発明にかかる靴底の一実施例を示す平面図である。図２は、図１に示す靴底のスパイク構造の要部を示す斜視図であり、図３は、そのスパイク構造の動作を示す斜視図である。図４は、図２の線ＩＶ−ＩＶにおける要部断面図である。本実施例では、本願発明にかかる靴底が、特にたとえば、ゴルフシューズに適用された一例について説明する。なお、本実施例で図示した図１は、靴の接地面側から靴底１２を平面的に見ており、図２、図３および図４では、その上方側が靴底１２の接地面側となるものである。
ゴルフシューズ１０は、たとえば図１に示すように、靴底１２を含む。靴底１２は、靴の接地面側に配置される外底１４を含む。外底１４の一方主面には、たとえば図４に示すように、中底１６が配置される。
【００１３】
外底１４の他方主面には、所定の部位に、環状に区画された６つのグリップ部１８が配置される。本実施例では、図１に示すように、靴底１２をそのつま先側から、つま先部Ａ、踏み込み部Ｂ、土踏まず部Ｃおよび踵部Ｄとしたとき、グリップ部１８が、たとえば踏み込み部Ｂの左右に間隔を隔てて２つ配置され、踵部Ｄの左右に間隔を隔てて２つ配置される。６つのグリップ部１８は、それぞれ、たとえば平面視略円形で環状の溝部２０により区画される。
【００１４】
６つのグリップ部１８は、それぞれ、同様の構造を有するので、１つのグリップ部１８について、たとえば図２および図４を参照しながら詳細に説明する。
すなわち、グリップ部１８は、溝部２０の内側に配置される円板状の基部２２を含む。基部２２の略中央には、基部２２の表面から接地面側に突出する１つの突起片２４が配設される。突起片２４は、たとえば円錐台状に形成され、その上面が接地面側に突出する。
【００１５】
また、突起片２４の周囲には、突起片２４と所定の間隔を隔てて、たとえば４つの他の突起片２６，２８，３０，３２が配設される。４つの突起片２６〜３２は、それぞれ、たとえば平面視弧形で柱状に形成される。４つの突起片２６〜３２は、突起片２４を中心とする略円周方向に所定の間隔を隔てて配設される。４つの突起片２６〜３２の内、２つの突起片２６，３０は、突起片２４を中心とする略円周の直径方向にみて、対向するように配置される。４つの突起片２６〜３２の内、他の２つの突起片２８，３２も、同様に、対向するように配置される。この場合、１つの突起片２４と４つの突起片２６，２８，３０，３２とは、たとえば図４に示すように、略同じ高さに形成される。
【００１６】
さらに、４つの突起片２６，２８，３０，３２の周囲には、図１，図２等に示すように、たとえば４つのさらに他の突起片３４，３６，３８，４０が配設される。４つの突起片３４〜４０は、４つの突起片２６〜３２と同様に、たとえば平面視弧形で柱状に形成される。
【００１７】
この場合、４つの突起片３４〜４０は、突起片２４を中心とする略円周方向に所定の間隔を隔てて配設される。４つの突起片３４〜４０は、突起片２４を中心にして、４つの突起片２６〜３２と略同心円上に配設される。
また、４つの突起片３４〜４０の内、２つの突起片３４，３８は、突起片２４を中心とする略円周の直径方向にみて、対向するように配置される。４つの突起片３４〜４０の内、他の２つの突起片３６，４０も、同様に、対向するように配置される。
【００１８】
さらに、突起片３４および３６の隙間４２、突起片３６および３８の隙間４４、突起片３８および４０の隙間４６、突起片４０および３４の隙間は、それぞれ、突起片２８、突起片３０、突起片３２、突起片２６の壁面に対向するように配設される。また、４つの突起片３４〜４０は、たとえば図４に示すように、４つの突起片２６〜３２よりも接地面側に突出するように、その高さが高く形成される。
【００１９】
本実施例では、グリップ部１８の基部２２と、１つの突起片２４と、４つの他の突起片２６〜３２と、４つのさらに他の突起片３４〜４０とが、たとえば合成樹脂材料で一体的に形成される。合成樹脂材料としては、ＥＶＡ樹脂（エチレン−酢酸ビニル共重合体）等が用いられる。なお、ＥＶＡ樹脂以外の合成樹脂、その他、ゴム、発泡プラスチック、発泡ゴム等も適宜用いられ得る。
【００２０】
さらに、グリップ部１８と中底１６との間には、図４に示すように、たとえば高弾性の弾性体５０が配置される。本実施例では、グリップ部１８の基部２２の裏面側に、たとえば円板状のＥＶＡ発泡樹脂からなる高弾性の弾性体５０が配置される。弾性体５０は、ＥＶＡ発泡樹脂に限定されるものではなく、反発力、クッション性に富んだ材料であれば、その他の発泡樹脂、ゴム等で形成されてもよい。なお、弾性体５０の弾性率は、弾性体５０に用いられるたとえば発泡樹脂の配合および発泡率等を調整することによって、適宜、設定変更可能である。
【００２１】
本実施例では、靴の接地面側からグリップ部１８に力が作用したとき、たとえば図３に示すように、突起片２４、突起片２６，２８，３０，３２および突起片３４，３６，３８，４０が、接地面側から押圧される。そのため、グリップ部１８は、突起片２４を中心に内側に弾性変形すると伴に、突起片２４の周辺部、この場合、突起片２６〜３２および突起片３４〜４０の先端側が内側に傾倒し、接地面を握り込むように把握する方向に弾性変位する。
【００２２】
この場合、突起片２４、突起片２６〜３２および突起片３４〜４０は、その先端側どうしが互いに近づく方向に弾性変形する。本実施例では、突起片２４がグリップ部１８の略中央に配置されるため、接地面側からグリップ部１８に力が作用すると、グリップ部１８の略中央が押圧される。したがって、グリップ部１８がその内側に安定して有効に弾性変形し、それと伴に、突起片２４の周辺部の突起片２６〜３２および突起片３４〜４０が均一にバランスよく接地面を把握する方向に変位するものである。この場合、グリップ部１８は、接地面側において、あらゆる方向からの圧力に対しても対応し、全方位から芝を噛んで把握する。
【００２３】
したがって、接地面がたとえば芝生からなるグラウンドの場合、突起片２６〜３２および突起片３４〜４０の間に、芝生およびグラウンドのアンジュレーションが噛み込まれるように把握されるため、接地面に対するグリップ性が確実なものとなる。
【００２４】
図５は、本願発明にかかる靴底の他の実施例を示す要部断面図である。図５に示す実施例は、上述の実施例と比べて、特に、グリップ部１８の略中央に配置される突起片２４が、突起片２４を囲むように配置される他の突起片２６〜３２および突起片３４〜４０よりも接地面側へ突出するように配置される。つまり、突起片２４の高さは、他の突起片２６〜３２および突起片３４〜４０の高さよりも高く形成される。そのため、グリップ部１８は、その略中央に配置された突起片２４を中心にして、内側に安定して有効に弾性変形し、それと伴に、他の突起片２６〜３２および突起片３４〜４０がバランスよく接地面を把握する方向に変位する。したがって、接地面側からグリップ部１８に力が作用した場合、突起片２４と他の突起片２６〜３２および突起片３４〜４０との間に、たとえばグラウンドの芝や小さなアンジュレーションをより一層効果的に把握することができる。なお、図５に示す実施例では、突起片２６〜３２の高さと突起片３４〜４０の高さとが、略同じに形成される。
【００２５】
上述の実施例では、グリップ部１８が、平面視略円形で環状の溝部２０により区画されたが、グリップ部１８はそれに限定されるものではなく、平面視矩形環状、平面視方形環状、平面視多角形環状等に区画されてもよい。また、溝部２０の区画内に設けられる突起片２４は、円錐台状のものに限定されるものではなく、さらに、突起片２６〜３２および突起片３４〜４０は、平面視弧形で柱状のものに限定されるものではなく、突起片２４、突起片２６〜３２および突起片３４〜４０は、それぞれ、円柱状、円筒状、角柱状、角筒状、リング状、ブロック状等に形成されてもよいものである。
【００２６】
さらに、突起片２４、突起片２６〜３２および突起片３４〜４０の数および配置も上述の各実施例に限定されるものではなく、たとえば突起片２４と突起片２６〜３２との組合せ、突起片２４と突起片３４〜４０との組合せ、あるいは、突起片２６〜３２と突起片３４〜４０との組合せにより、グリップ部１８を構成するようにしてもよい。この場合、内側に配置される突起片の高さが外側の突起片の高さよりも高くなるように形成されることが好ましい。
【００２７】
また、突起片２４は、２つ以上形成されてもよく、突起片２６〜３２および突起片３４〜４０の数は、５つ以上形成されてもよい。さらに、突起片２６〜３２および突起片３４〜４０は、それぞれ、所定の間隔を隔てて配列されたが、間隔を隔てたものに限定されるものではなく、一連に連なったたとえば平面視円形環状、平面視角形環状等に配置されてもよい。
【００２８】
さらに、図１に示す実施例では、たとえば４つのグリップ部１８が踏み付け部Ｂに、たとえば２つのグリップ部１８が踵部Ｄに、それぞれ配置されたが、グリップ部１８の数および配置箇所は、それに限定されるものではなく、使用者の足圧分布の個体差、あるいは、グラウンドの状態等によって、適宜、設定変更可能なものである。
【００２９】
なお、本実施例にかかる靴底は、ゴルフシューズ以外にも、テニス，サッカー，ラグビー等のたとえば芝生のあるグラウンドで行なわれ得るスポーツに使用されるスポーツシューズに用いて好適な靴底である。
【００３０】
【発明の効果】本願発明によれば、確実に路面を掴んで把握することが可能なグリップ性に優れた靴底が得られる。
【図面の簡単な説明】
【図１】本願発明にかかる靴底の一実施例を示す平面図である。
【図２】図１に示す靴底のスパイク構造の要部を示す斜視図である。
【図３】図２に示す靴底のスパイク構造の動作を示す斜視図である。
【図４】図２の線ＩＶ−ＩＶにおける要部断面図である。
【図５】本願発明にかかる靴底の他の実施例を示す要部断面図である。
【符号の説明】
１０  ゴルフシューズ
１２  靴底
１４  外底
１６  中底
１８  グリップ部
２０  溝部
２２  基部
２４  突起片
２６，２８，３０，３２  他の突起片
３４，３６，３８，４０  さらに他の突起片
４２，４４，４６，４８  隙間
５０  弾性体
Ａ  つま先部
Ｂ  踏み込み部
Ｃ  土踏まず部
Ｄ  踵部
【図１】
2004337370.tif 000003
【図２】
2004337370.tif 000004
【図３】
2004337370.tif 000005
【図４】
2004337370.tif 000006
【図５】
2004337370.tif 000007